(57)【要約】      （修正有）【課題】簡単な操作で固定することができ、コンクリート壁貫通口内面とケーブルとの間隙を完全に水密状態に保持する管路またはケーブル止水固定装置を提供する。【解決手段】２枚の環状フランジ３で環状弾性体４を挟持し、環状フランジ間に挿通されたボルト５に螺着されたナット５１を、工具を用いて締めつけることによって環状弾性体を圧縮変形させて管路またはケーブルをコンクリート壁内の鞘管８またはコンクリート壁貫通口内面に固定することを特徴とする。環状フランジが金属または強化プラスチックで形成されており、環状フランジ間に挿通された複数のボルトに螺着された複数のナットを締めつけることにより圧縮変形される環状弾性体の外周の膨出部４２が鞘管内面またはコンクリート壁貫通口内面に押圧され、環状弾性体の内周の膨出部４３が管路に押圧されて固定されると共に、鞘管と管路との間隙が完全に水密状態に保持される。【選択図】図３
0003191341.tif 000002
【実用新案登録請求の範囲】
【請求項１】
２枚の環状フランジで環状弾性体を挟持し、該環状フランジ間に挿通されたボルトに螺着されたナットを工具を用いて締めつけることによって環状弾性体を圧縮変形させて管路またはケーブルをコンクリート壁内の鞘管またはコンクリート壁貫通口内面に固定することを特徴とする管路またはケーブル止水固定装置。
【請求項２】
環状フランジが金属または強化プラスチックで形成されていることを特徴とする請求項１記載の管路またはケーブル止水固定装置。
【請求項３】
環状フランジ間に挿通された複数のボルトに螺着された複数のナットを締めつけることにより圧縮変形される環状弾性体の外周の膨出部が鞘管内面またはコンクリート壁貫通口内面に押圧され、環状弾性体の内周の膨出部が管路に押圧されて固定されると共に、鞘管と挿通管路との間隙が完全に水密状態に保持されることを特徴とする請求項１記載の管路またはケーブル止水固定装置。
【請求項４】
環状フランジ間に挿通された複数のボルトに螺着された複数のナットを締めつけることにより圧縮変形される環状弾性体の外周の膨出部がコンクリート壁貫通口内面に押圧され、環状弾性体の内周の膨出部がケーブルに押圧されて固定されると共に、コンクリート壁貫通口内面とケーブルとの間隙が完全に水密状態に保持されることを特徴とする請求項１記載の管路またはケーブル止水固定装置。
【請求項５】
環状弾性体の外周及び内周に環状ブチルゴムが装着されており、環状フランジ間に挿通された複数のボルトに螺着された複数のナットを締めつけることにより圧縮変形される環状弾性体の外周の環状ブチルゴムがコンクリート壁貫通口内面に押圧され、環状弾性体の内周の環状ブチルゴムがケーブルに押圧されて固定されると共に、コンクリート壁貫通口内面とケーブルとの間隙が完全に水密状態に保持されることを特徴とする請求項１記載の管路またはケーブル止水固定装置。
【考案の詳細な説明】
【技術分野】
【０００１】  本考案は管路またはケーブルの止水固定装置に関し、特にコンクリート壁等に埋め込まれる鞘管と管路またはケーブルの止水固定装置、または、直接コンクリート壁貫通口に挿通される管路またはケーブルの止水固定装置に関する。
【背景技術】
【０００２】  従来、ガス管、上下水道管、電線管、光ケーブル、通信ケーブル等の配管がコンクリート壁等に埋め込まれる場合に管路と鞘管との止水固定装置では、管路と鞘管との間に装着される水膨張性ゴムやエラストマー材または非水膨張性ゴムやエラストマー材等よりなる環状の止水パッキン材が一体成形されているものがあった。
【先行技術文献】
【０００３】
【特許文献１】  特開２００５−２８２７６３号公報
【特許文献２】  特公平７−１１４５３０号公報
【考案の概要】
【０００４】
【考案が解決しようとする課題】
【０００５】  前記せる特開２００５−２８２７６３号公報では、管路と鞘管との間に装着される水膨張性ゴムやエラストマー材または非水膨張性ゴムやエラストマー材等よりなる環状の止水パッキン材が一体成形されているものであった【０００６】  そのため、装着の作業性が悪く、材料強度も弱く、水圧に負けて鞘管内に流れてしまい止水効果がなく、接着面の汚れや残骸がのこるものであった。【０００７】  また、前記せる特公平７−１１４５３０号公報では、管路内に挿通する線材における管路口部分の外周面に、半加硫ゴムを巻き付けるとともに、その半加硫ゴムの両端側にそれぞれリング状のパッキンを取付けて、管路内におけるパッキン間を閉塞し、その状態で、両パッキン、半加硫ゴムおよび管路の壁面とで囲われる空間に管路取水材形成材料を充填し硬化させることにより、上記半加硫ゴムを線材に密着させ、管路の止水する構成であった。【０００８】  この場合も、半加硫ゴムの巻き付けや管路取水材形成材料を充填し硬化等の作業性が悪く、材料強度も弱く、水圧に負けて鞘管内に流れてしまい、止水効果がなく、接着面の汚れや残骸がのこるものであった。
【課題を解決するための手段】
【０００９】  前記せる課題を解決するために、本考案は以下のように構成されている。
２枚の環状フランジで環状弾性体を挟持し、該環状フランジ間に挿通されたボルトに螺着されたナットを工具を用いて締めつけることによって環状弾性体を圧縮変形させて管路またはケーブルをコンクリート壁内の鞘管またはコンクリート壁貫通口内面に固定することを特徴とし、環状フランジが金属または強化プラスチックで形成されていることを特徴とし、環状フランジ間に挿通された複数のボルトに螺着された複数のナットを締めつけることにより圧縮変形される環状弾性体の外周の膨出部が鞘管内面またはコンクリート壁貫通口内面に押圧され、環状弾性体の内周の膨出部が管路に押圧されて固定されると共に、鞘管と管路との間隙が完全に水密状態に保持されることを特徴とし、環状フランジ間に挿通された複数のボルトに螺着された複数のナットを締めつけることにより圧縮変形される環状弾性体の外周の膨出部がコンクリート壁貫通口内面に押圧され、環状弾性体の内周の膨出部がケーブルに押圧されて固定されると共に、コンクリート壁貫通口内面とケーブルとの間隙が完全に水密状態に保持されることを特徴とし、環状弾性体の外周及び内周に環状ブチルゴムが装着されており、環状フランジ間に挿通された複数のボルトに螺着された複数のナットを締めつけることにより圧縮変形される環状弾性体の外周の環状ブチルゴムがコンクリート壁貫通口内面に押圧され、環状弾性体の内周の環状ブチルゴムがケーブルに押圧されて固定されると共に、コンクリート壁貫通口内面とケーブルとの間隙が完全に水密状態に保持されることを特徴とする管路またはケーブル止水固定装置を提供する。
【考案の効果】
【００１０】  本考案の挿通管路止水固定装置に於いては、２枚の環状フランジで挟持された環状弾性体に管路を挿通した状態で、コンクリート壁に固定された鞘管内へ仮止めし、次いで、環状フランジ間に挿通された複数のボルトに螺着された複数のナットを、工具を用いて順次締めつける簡単な操作によって、環状弾性体を圧縮変形させて管路をコンクリート壁内の鞘管に固定することができる。【００１１】  また、２枚の環状フランジで挟持された環状弾性体に管路またはケーブルを挿通した状態で、コンクリート壁貫通口に直接仮止めし、次いで、環状フランジ間に挿通された複数のボルトに螺着された複数のナットを、工具を用いて順次締めつける簡単な操作によって、環状弾性体を圧縮変形させて管路またはケーブルをコンクリート壁内の貫通口に固定することができる。【００１２】  また、環状弾性体の外周及び内周に環状ブチルゴムが装着されており、環状フランジ間に挿通された複数のボルトに螺着された複数のナットを順次締めつけることにより圧縮変形される環状弾性体の外周の環状ブチルゴムがコンクリート壁貫通口内面に押圧され、環状弾性体の内周の環状ブチルゴムが管路またはケーブルに押圧されて固定されると共に、コンクリート壁貫通口内面と管路またはケーブルとの間隙が完全に水密状態に保持することができる。
【図面の簡単な説明】
【００１３】
【図１】  止水固定装置の部分斜視図である。
【図２】  タンクに取り付けた止水固定装置の斜視図である。
【図３】  鞘管内に固定された止水固定装置の縦断面図である。
【図４】  コンクリート壁貫通口内に固定された止水固定装置の縦断面図である。
【図５】  コンクリート壁貫通口内に固定された止水固定装置の縦断面図である。
【考案を実施するための形態】
【００１４】  本発明の管路またはケーブルの止水固定装置は、図１乃至図３に示すようにコンクリート貫通口内に挿通された鞘管８に固定され、または図４乃至図５に示すように直接コンクリート貫通口内に固定することができる。
【００１５】  また、図２に示しようにタンク９のドレン部に取り付けることができる。
【００１６】  図３乃至図４に示すように、２枚の環状フランジ３，３で環状弾性体４を挟持し、該環状フランジ３，３間に挿通されたボルト５に螺着されたナット５１を、工具７を用いて締めつけることによって環状弾性体４を圧縮変形させて管路２またはケーブル２１をコンクリート壁１内の鞘管８またはコンクリート壁貫通口６内面に管路またはケーブルを固定することができる。
【００１７】  前記せる環状フランジ３，３は鋼製またはアルミ等の金属または強化プラスチックで形成されている。
【００１８】  環状フランジ３，３間に挿通された複数のボルト５に螺着された複数のナット５１を締めつけることにより圧縮変形される環状弾性体４の外周の膨出部４２が鞘管８内面またはコンクリート壁貫通口内面６１に押圧され、環状弾性体４の内周の膨出部４３が管路２に押圧されて固定されると共に、鞘管８と管路２との間隙が完全に水密状態に保持される。
【００１９】  図４に示すように、環状フランジ３，３間に挿通された複数のボルト５に螺着された複数のナット５１を締めつけることにより圧縮変形される環状弾性体４の外周の膨出部４２がコンクリート壁貫通口内面６１に押圧され、環状弾性体４の内周の膨出部４３がケーブル２１に押圧されて固定されると共に、コンクリート壁貫通口内面６１とケーブル２１との間隙が完全に水密状態に保持される。
【００２０】  図５に示す実施例では、環状弾性体４の外周及び内周に環状ブチルゴム４１が装着されており、環状フランジ３，３間に挿通された複数のボルト５に螺着された複数のナット５１を締めつけることにより圧縮変形される環状弾性体４の外周の環状ブチルゴム４１がコンクリート壁貫通口内面６１に押圧され、環状弾性体４の内周の環状ブチルゴム４１がケーブル２１に押圧されて固定されると共に、コンクリート壁貫通口内面６１とケーブル２１との間隙を完全に水密状態に保持されることができる。
【符号の説明】
【００２１】  １  コンクリート壁
１０  止水固定装置
２  管路
２１  ケーブル
３  環状フランジ
４  環状弾性体
４１  環状ブチルゴム
４２  膨出部
４３  膨出部
５  ボルト
５１  ナット
６  コンクリート壁貫通口
６１  コンクリート壁貫通口内面
７  工具
８  鞘管
８１  鞘管内面
９  タンク
【図１】
0003191341.tif 000003
【図２】
0003191341.tif 000004
【図３】
0003191341.tif 000005
【図４】
0003191341.tif 000006
【図５】
0003191341.tif 000007